(57)【特許請求の範囲】
【請求項１】
成型機の成形条件を設定する設定項目部及びその設定項目に対応する設定数値を表示する設定数値表示部からなる多数の表示部を表示装置の画面に表示し、これらの表示部に重ねて配置したタッチ入力キー要素を有する透視可能なタッチパネルを用いたタッチ入力表示装置における設定画面の表示方法において、
前記設定項目部に設定するデータの入力モードをステップスイッチ入力モード、テンキー入力モードのうち、いずれか一方の入力モードを前記タッチパネルから操作者のタッチ入力により選択し、
少なくとも２桁以上の設定数値を表示する入力データ表示部と、このデータ表示部の各桁に対応してその桁の直上及び直下に対応する桁の数値を増加、減少させる増加キー及び減少キーとを含むステップスイッチ型入力設定用キーウィンドウか、
少なくとも２桁以上の設定数値を表示する入力データ表示部と、この入力データ表示部に表示されるデータを設定するためのテンキーとを含むテンキー型データ入力設定用キーウィンドウのいずれか一方のうち、
データ設定入力操作時に選択した前記設定項目部またはその設定数値表示部のいずれかにタッチパネルから操作者がタッチした時に、その設定項目部または設定数値表示部を表示装置の画面に表示した状態のまま、選択された入力モードに対応する方のキーウィンドウを表示装置の画面に表示させ、
前記ステップスイッチ型入力設定用キーウィンドウの増加キーおよび減少キーまたはテンキー型データ入力設定用キーウィンドウのテンキーをタッチして設定数値をタッチパネルから操作者がタッチ入力することを特徴とするタッチ入力表示装置における設定画面の表示方法。
【請求項２】
前記選択した設定項目部または設定数値表示部を表示装置の画面上に表示した状態で、その他の設定項目部または設定数値表示部の一部を消去した位置に前記ステップスイッチ型入力設定用キーウィンドウまたはテンキー型データ入力設定用キーウィンドウを表示することを特徴とする請求項１に記載のタッチパネルを用いたタッチ入力表示装置における設定画面の表示方法。
【請求項３】
前記設定項目部は、射出成形機の初期設定、成形条件設定に必要な項目を含むことを特徴とする請求項１に記載のタッチパネルを用いたタッチ入力表示装置における設定画面の表示方法。
【請求項４】
成型機の成形条件を設定する設定項目部及びその設定項目に対応する設定数値を表示する設定数値表示部からなる数値多数の表示部を表示装置の画面に表示し、これらの表示部に重ねて配置したタッチ入力キー要素を有する透視可能なタッチパネルを用いたタッチ入力表示装置における設定画面の表示装置において、
前記設定項目部に設定するデータの入力モードをステップスイッチ入力モード、テンキー入力モードのうち、いずれか一方をタッチ入力により選択する手段と、
データ設定入力操作時に任意の前記設定項目部またはその設定数値表示部がタッチされたときに選択された入力モードを判定する手段と、
選択された入力モードに対応させて、少なくとも２桁以上の設定数値を表示する入力データ表示部と、このデータ表示部の各桁に対応してその桁の直上及び直下に対応する桁の数値を増加、減少させる増加キー及び減少キーとを含むステップスイッチ型入力設定用キーウィンドウか、
少なくとも２桁以上の設定数値を表示する入力データ表示部と、この入力データ表示部に表示されるデータを設定するためのテンキーとを含むテンキー型データ入力設定用キーウィンドウのいずれか一方を選択された設定項目部または設定数値表示は表示した状態のまま画面上に表示する手段と、
前記ステップスイッチ型入力設定用キーウィンドウの増加キーおよび減少キーまたはテンキー型データ入力設定用キーウィンドウのテンキーに対応するタッチ入力手段とを有することを特徴とするタッチパネルを用いるタッチ入力表示装置における設定画面の表示装置。
【発明の詳細な説明】
【０００１】
【発明の属する技術分野】
本発明は、例えば、射出成形機やダイカストマシンで用いられるプロセスコントローラで成形条件の設定データの入力操作に用いるタッチ入力表示装置に係り、特に、成形品の変更にともなう立上げ条件設定と、立上げ後の温度、圧力、位置、タイマ等の成形条件設定データを実際の成形品の品質、機械の稼働状況に応じて行なう微調整を操作性良く行なえるようにしたタッチパネルを用いるタッチ入力表示装置における設定画面の表示方法に関する。
【０００２】
【従来の技術】
射出成形機やダイカストマシンでは、型締、射出などの一連の動作の方向、力、速度を制御したり、成形条件を数値制御するためプロセスコントローラが利用されている。
プロセスコントローラは、成形条件を設定する設定パネルや、成形条件を一括記憶しておくデータ記憶装置を有している。
【０００３】
最近のプロセスコントローラの設定パネルでは、ＣＲＴディスプレイの表示部に重ねてタッチパネルを取り付け、ディスプレイに表示したテンキーなどのタッチキー要素へのタッチ操作によって成形条件の各種設定項目の入力、設定変更をできるようにしたタッチパネル装置を採用しているものがある。
【０００４】
従来のタッチパネルを備えた入力表示装置における設定条件のデータの数値入力方式には、ディスプレイに表示したテンキーにタッチして直接数値を入力するテンキー入力方式と、数値を桁ごとに増減されるキーをタッチ操作して、表示した数値データを１カウントづつ増減させながら入力するステップスイッチ入力方式がある。テンキー方式を採用したものとしては、例えば、特開昭６３−２７８１２２号公報に開示されているタッチパネル装置が公知であり、ステップスイッチ入力方式によるものとしては、例えば、特開昭６３−２７８１２３号公報に開示されているタッチパネル装置が公知である。
【０００５】
【発明が解決しようとする課題】
プロセスコントローラへ成形条件を設定するときの具体的状況には、初期設定と、微調整設定とがある。
初期設定では、金型の変更やロットの変更に伴い、プロセス立上げのための条件を設定するため決められた数値を入力していくことが主な操作となる。
【０００６】
これに対して、微調整設定は、成形品の品質、機械の稼動状況を見ながら行なう設定であり、立上げ後の温度、圧力、速度、位置、タイマー等の条件について既に設定されている数値を増減していくのが主な操作となる。
【０００７】
従来のタッチパネル装置では、数値入力の方式として、テンキー方式かステップスイッチ方式のいずれか一方の方式を採っているものがほとんどであった。このため、テンキー方式のタッチパネル装置では、微調整設定の効率が悪く、ステップスイッチ方式のタッチパネル装置では、初期設定の入力効率に難点があった。また、操作する者によっては、テンキー入力に慣れた人もいれば、ステップスイッチ入力に慣れている人もおり、人それぞれに使い慣れた入力方法で操作できないということでユーザーインターフェースの面からの操作性に問題があった。
【０００８】
そこで、本発明の目的は、前記従来技術の有する問題点を解消し、成形条件の設定状況に応じてテンキー入力、ステップいずれかの入力し易い方式を選択できるようして、成形条件等の設定入力作業の効率の向上に資するタッチパネルを用いるタッチ入力表示装置における設定画面の表示方法および装置を提供することにある。
【０００９】
【課題を解決するための手段】
前記の目的を達成するために、本発明は、
成型機の成形条件を設定する設定項目部及びその設定項目に対応する設定数値を表示する設定数値表示部からなる多数の表示部を表示装置の画面に表示し、これらの表示部に重ねて配置したタッチ入力キー要素を有する透視可能なタッチパネルを用いたタッチ入力表示装置における設定画面の表示方法において、
前記設定項目部に設定するデータの入力モードをステップスイッチ入力モード、テンキー入力モードのうち、いずれか一方の入力モードを前記タッチパネルから操作者のタッチ入力により選択し、
少なくとも２桁以上の設定数値を表示する入力データ表示部と、このデータ表示部の各桁に対応してその桁の直上及び直下に対応する桁の数値を増加、減少させる増加キー及び減少キーとを含むステップスイッチ型入力設定用キーウィンドウか、
少なくとも２桁以上の設定数値を表示する入力データ表示部と、この入力データ表示部に表示されるデータを設定するためのテンキーとを含むテンキー型データ入力設定用キーウィンドウのいずれか一方のうち、
データ設定入力操作時に選択した前記設定項目部またはその設定数値表示部のいずれかにタッチパネルから操作者がタッチした時に、その設定項目部または設定数値表示部を表示装置の画面に表示した状態のまま、選択された入力モードに対応する方のキーウィンドウを表示装置の画面に表示させ、
前記ステップスイッチ型入力設定用キーウィンドウの増加キーおよび減少キーまたはテンキー型データ入力設定用キーウィンドウのテンキーをタッチして設定数値をタッチパネルから操作者がタッチ入力することを特徴とするものである。
【００１０】
前記選択した設定項目部または設定数値表示部を表示装置の画面上に表示した状態で、その他の設定項目部または設定数値表示部の一部を消去した位置に前記ステップスイッチ型入力設定用キーウィンドウまたはテンキー型データ入力設定用キーウィンドウを表示することが好ましい。
【００１１】
前記設定項目部は、射出成形機の初期設定、成形条件設定に必要な項目が含まれるが、これに限られるものではなく、押出成形機、ダイカストマシンなど、各種成形機のプロセスコントローラで設定する成形条件であってもよい。
【００１２】
本発明によれば、初期設定のように金型の変更やロットの変更に伴い、プロセス立上げのための条件を設定する決められた数値を入力していくことが主な操作となる場合では、入力モードをテンキー入力モードに選択しておけば、設定項目部をタッチすると、テンキー型データ入力設定用キーウィンドウが画面上に開く。
【００１３】
これに対して、微調整設定のように、成形品の品質、機械の稼動状況を見ながら、立上げ後の温度、圧力、速度、位置、タイマー等の条件について既に設定されている数値を増減していくのが主な操作となる場合には、入力モードをステップスイッチ入力モードに選択しておけば、設定項目部をタッチすると、ステップスイッチ型データ入力設定用キーウィンドウが画面上に開くようにできる。
【００１４】
また、本発明のタッチ入力表示装置における設定画面の表示方法を実施する装置は、
前記設定項目部に設定するデータの入力モードをステップスイッチ入力モード、テンキー入力モードのうち、いずれか一方をタッチ入力により選択する手段と、
データ設定入力操作時に任意の前記設定項目部またはその設定数値表示部がタッチされたときに選択された入力モードを判定する手段と、
選択された入力モードに対応させて、少なくとも２桁以上の設定数値を表示する入力データ表示部と、このデータ表示部の各桁に対応してその桁の直上及び直下に対応する桁の数値を増加、減少させる増加キー及び減少キーとを含むステップスイッチ型入力設定用キーウィンドウか、
少なくとも２桁以上の設定数値を表示する入力データ表示部と、この入力データ表示部に表示されるデータを設定するためのテンキーとを含むテンキー型データ入力設定用キーウィンドウのいずれか一方を選択された設定項目部または設定数値表示は表示した状態のまま画面上に表示する手段と、
前記ステップスイッチ型入力設定用キーウィンドウの増加キーおよび減少キーまたはテンキー型データ入力設定用キーウィンドウのテンキーに対応するタッチ入力手段とを有するものである。
【００１５】
【発明の実施の形態】
以下、本発明を射出成形機プロセスコントローラのマンマシンインターフェース装置に適用した一実施形態について添付の図面を参照して説明する。
図１は、射出成形機のプロセスコントローラにおいて、タッチ入力表示装置を用いたマンマシンインターフェース装置のシステム構成の一例を示すブロック図である。
【００１６】
このマンマシンインターフェース装置は、表示装置の正面部に、ＣＲＴディスプレイ、液晶パネルなどを用いた画面表示部１０を備えるもので、この画面表示部１０の表示画面上には、透明なタッチパネル１１が取り付けられている。このタッチパネル１１には、その表面に指が接触したときの位置を検出する方式として、静電容量方式、光方式、抵抗シート方式など種々の公知のタッチパネルを採用することができる。
【００１７】
１２は、タッチパネル１１と画面表示制御部１５を接続する入力信号制御部で、タッチパネル１１を制御してタッチパネルからの入力信号を取り込み、その画面上の位置情報を画面表示制御部１５に受け渡すようになっている。
【００１８】
１３は、成形条件等の設定画面の設定項目や、その設定数値などの表示データを格納した画面表示データメモリで、１４は、成形条件等の設定値を入力する際に、画面表示部１０の画面上に表示する入力ウィンドウの画面表示データが格納された画面表示データメモリである。この画面表示データメモリ１４には、ステップスイッチ型入力ウィンドウ表示データ１４ａと、テンキー型入力ウィンドウ表示データ１４ｂが格納されている。
【００１９】
１５は、画面表示制御部で、タッチパネル１１におけるタッチ入力に応じてその位置情報から必要な演算処理を行ない、また、表示装置に付設される画面操作パネル１７からの画面表示要求に応じて、表示データメモリ１３と入力ウィンドウ用の画面表示データメモリ１４より画面表示用のデータを読み出し、これをＶＲＡＭ１６に転送する。
【００２０】
次に、図２は、プロセスコントローラの表示装置の正面を示す図で、画面表示部１０には、設定画面の設定項目部を透視できる透明なタッチパネル１１が取り付けられている。この設定画面は、射出速度、射出圧力、スクリュ回転数、スクリュ背圧、金型開閉速度、ヒータ温度等、各種の成形条件設定画面のうち、金型開閉速度を設定する画面を例としたものである。図中、２０の鎖線で囲んだ部分が型閉速度を設定する型閉速度設定項目部で、２１が型開速度設定項目部である。この型閉速度設定項目部２０、型開速度設定項目部２１は、移動ダイプレートの位置に応じて段階的に速度を設定できるようになっていて、それぞれ位置での型閉速度、型開速度の設定項目およびその設定数値が表示される。
このような画面表示部１０の下には、画面操作パネル１７が設けられており、この画面操作パネル１７には、画面選択用の設定器である各種ボタンが設けられている。
【００２１】
図３は、プロセスコントローラの初期設定画面の一例を示す図である。この初期設定画面では、バレルヒータの温度制御におけるＰＩＤ設定パラメータの設定の他、種々の画面表示のモードをタッチ入力で選択できるようになっている。また、この初期設定画面において、入力方法選択とあるタッチキー入力要素が、設定数値をステップスイッチ方式で入力するか、テンキー方式で入力するかを選択するための入力モード選択キー３０である。
【００２２】
図２の設定画面から図３の設定画面に切り替えるには、図２において、オプション・支援ボタン２２と設定ボタン２３を押すことによって、図３の設定画面になるようになっている。
【００２３】
次に、図６は、本実施形態による設定画面を表示する処理の流れを表わしたフローチャートである。以下、ステップスイッチ入力モードで成形条件データを入力するための設定画面を示す図４と、テンキー入力モードで成形条件データを入力するための設定画面を示す図５を参照しながら、より具体的に成形条件データの設定について説明する。
【００２４】
図４、図５は、型閉速度と、型開速度を設定する画面である。この設定画面でデータを入力する場合には、図２に示した操作パネル１７で型締・押出ボタン２４を押せば、本画面に切り替わるようになっている。
【００２５】
そこで、図４において、操作者によって型閉速度についての設定項目表示部ＶＣ１、ＶＣ２、ＶＣ３、ＶＣＳのうち、ＶＣＳについてタッチパネルの上からタッチされると（ステップＳ１０のＹＥＳ）、数多くの設定条件の中から、このタッチされた型閉速度ＶＣＳの項目について設定値を変更することが判定される（ステップＳ２０）。
【００２６】
続く、ステップＳ３０では、前述した図３の設定画面において、入力モード選択キー３０がステップスイッチ入力モード、テンキー入力モードのうち、どちらのモードに設定されているかを判別する。
【００２７】
入力モードがステップスイッチ入力モードの場合には、ステップＳ４０に進み、ステップスイッチ型入力ウィンドウ表示データ１４ａが画面表示制御部１５によって読み込まれ、さらに、この表示データがＶＲＡＭ１６に転送される。これにより、設定画面には、図４に示すステップスイッチ型データ入力設定用キーウィンドウ３２が表示される（ステップＳ６０）。この表示位置は、設定変更をすべき設定項目を含まない設定項目を消去した位置に表示される。
【００２８】
このステップスイッチ型データ入力設定用キーウィンドウ３２には、設定値に対応する小数点以下１桁の３桁の数値を表示する入力データ表示部３３と、数値の各桁の直上に表示され、表示される数値を１づつ減少させる減少キー３４ａ乃至３４ｃと、数値各桁の直下に表示され、表示される数値を１づつ増加させる増加キー３５ａ乃至３５ｃと、数値を確定して設定入力するためのデータ入力キー３６が表示されるようになっている。
【００２９】
このステップスイッチ型データ入力設定用キーウィンドウ３２が開くと、最初は、既に設定されている数値が入力データ表示部３３に表示されるので、設定変更に従って、各桁の数値を減少キー３４ａ乃至３４ｃと増加キー３５ａ乃至３５ｃをタッチしながら増減させて設定値に変更し、データ入力キー３６をタッチすれば、その値に型閉速度ＶＣＳが更新される（ステップＳ７０）。
【００３０】
これに対して、ステップＳ３０において、入力モードがテンキー入力モードに設定されている場合には、ステップＳ５０に進み、テンキー型入力ウィンドウ表示データ１４ｂが画面表示制御部１５によって読み込まれ、さらに、この表示データがＶＲＡＭ１６に転送される。これにより、設定画面には、図５に示すテンキー型データ入力設定用キーウィンドウ４０が表示される（ステップＳ６０）。この表示位置は、設定変更をすべき設定項目を含まない設定項目を消去した位置に表示されるのはステップスイッチ型データ入力設定用キーウィンドウ３２の場合と同様である。
【００３１】
このテンキー型データ入力設定用キーウィンドウ４０には、設定値に対応する小数点以下１桁の３桁の数値を表示する入力データ表示部４１と、１乃至９の数字キーおよびマイナスキー、ピリオドキーからなるテンキーと、数値を確定して設定入力するためのデータ入力キー４２が表示されるようになっている。
【００３２】
このテンキー型入力ウィンドウ４０が開いた後、各数字キーをタッチすると、その数値が入力データ表示部４１に表示される。データ入力キー４２をタッチすれば、その値に型閉速度ＶＣＳが更新される（ステップＳ７０）のは、ステップスイッチ型データ入力設定用キーウィンドウ３２の場合と同様である。
【００３３】
このようにして、あらかじめ入力しやすい慣れた方の入力モードや、成形条件の設定状況に合った入力モードに選択しておくと、変更する成形条件設定項目をタッチするだけで、選択した入力モードに対応した入力ウィンドウが開くので、効率良くデータを入力することができる。
【００３４】
【発明の効果】
以上の説明から明らかなように、本発明によれば、初期設定のように決められた数値を入力していくような操作が主となるようにときは、テンキー入力モードに選択し、微調整設定のようなときにはステップスイッチ入力モードに選択するというように、成形条件の設定状況に応じてテンキー入力、ステップいずれかの入力し易い方式を選択すれば、設定項目をタッチするだけで対応する入力モードの入力ウィンドウが開くようになるので、設定入力作業の効率の向上を達成することができる。
【図面の簡単な説明】
【図１】本発明による設定画面の表示方法を実施するタッチを実施するタッチ入力表示装置のマンマシンインターフェース部の構成の一例を示すブロック図。
【図２】同実施形態によるタッチ入力表示装置の正面図。
【図３】初期画面設定の画面の例を示す図。
【図４】ステップスイッチ型データ入力設定用キーウィンドウが開いた設定画面の例を示す図。
【図５】テンキー型データ入力設定用キーウィンドウが開いた設定画面の例を示す図。
【図６】本発明の画面表示の処理の流れを示すフローチャート。
【符号の説明】
１０  画面表示部
１１  タッチパネル
１２  入力信号制御部
１３  画面表示データメモリ
１４  ウィンドウ表示用の画面表示データメモリ
１５  画面表示制御部
１６  ＶＲＡＭ
１７  画面操作パネル
３２  ステップスイッチ型データ入力設定用キーウィンドウ
３３  入力データ表示部
３４  減少キー
３５  増加キー
３６  データ入力キー
４０  テンキー型データ入力設定用キーウィンドウ
４１  入力データ表示部
４２  データ入力キー
【図１】
0003880651.tif 000002
【図２】
0003880651.tif 000003
【図３】
0003880651.tif 000004
【図４】
0003880651.tif 000005
【図５】
0003880651.tif 000006
【図６】
0003880651.tif 000007